(57)【要約】【課題】塞栓術を低コストかつ簡便に行うことが可能な塞栓術装置を提供する。【解決手段】動脈瘤治療装置１（塞栓術装置）は、大動脈９１を経由して末梢動脈９２の血管内に挿入されて、その末梢動脈９２の血管に生じた動脈瘤９０を治療するための装置であって、軸方向（Ｚ軸方向）に沿って延在するシャフト１１と、このシャフト１１の基端側に設けられたハンドル１２とを備えている。シャフト１１は、上記軸方向に沿って延在するチューブ状部材１１０と、このチューブ状部材１１０の先端領域Ａ１に設けられ、末梢動脈９２の血管を焼灼するための少なくとも１つの焼灼用電極（先端電極１１１ａおよびリング状電極１１１ｂ）と、上記軸方向に沿って少なくとも１つの焼灼用電極よりも基端側に設けられ、チューブ状部材１１０の周囲に拡張可能に構成されたバルーン１１２とを有している。ハンドル１２に対する所定の操作に応じて、チューブ状部材１１０における先端領域Ａ１が、上記軸方向に沿って螺旋状に変形可能となっている。【選択図】図１
2019129995.tif 000002
【特許請求の範囲】
【請求項１】
大血管を経由して末梢血管内に挿入されて、前記末梢血管において塞栓術を行うための装置であって、
軸方向に沿って延在するシャフトと、
前記シャフトの基端側に設けられたハンドルと
を備え、
前記シャフトは、
前記軸方向に沿って延在するチューブ状部材と、
前記チューブ状部材の先端領域に設けられ、前記末梢血管を焼灼するための少なくとも１つの焼灼用電極と、
前記軸方向に沿って前記少なくとも１つの焼灼用電極よりも基端側に設けられ、前記チューブ状部材の周囲に拡張可能に構成されたバルーンと
を有しており、
前記ハンドルに対する所定の操作に応じて、前記チューブ状部材における前記先端領域が、前記軸方向に沿って螺旋状に変形可能となっている
塞栓術装置。
【請求項２】
前記バルーンが前記チューブ状部材の周囲に拡張されることにより、前記末梢血管内における血流が、前記大血管側に対応する上流側において遮断されると共に、
前記バルーンが拡張された状態において、前記螺旋状に変形した前記先端領域における前記少なくとも１つの焼灼用電極を用いて、前記末梢血管が焼灼されることにより、前記軸方向に沿って前記バルーンよりも先端側に位置する前記末梢血管が、閉塞するようになっている
請求項１に記載の塞栓術装置。
【発明の詳細な説明】
【技術分野】
【０００１】
本発明は、動脈瘤の治療等の際に使用される塞栓術装置に関する。
【背景技術】
【０００２】
近年、動脈等の血管に動脈瘤が生じた場合に、その動脈瘤の破裂を防止するための各種治療が実用化されている。そのような動脈瘤の治療の際に使用される装置（動脈瘤治療装置）としては、例えば特許文献１に開示されている。
【０００３】
この特許文献１に記載の治療方法では、患者の血管内に挿入されたマイクロカテーテル内を通じて、白金（Ｐｔ）等からなる金属コイルを治療対象の動脈瘤内に埋め込むことで、動脈瘤の治療が行われるようになっている。
【先行技術文献】
【特許文献】
【０００４】
【特許文献１】特開２０１３−１２６５６１号公報
【発明の概要】
【発明が解決しようとする課題】
【０００５】
ところで、このような動脈瘤治療装置等の塞栓術装置では一般に、低コストかつ簡便に治療を行うことが求められている。したがって、動脈瘤の治療等の塞栓術を低コストかつ簡便に行うことが可能な塞栓術装置を提供することが望ましい。
【課題を解決するための手段】
【０００６】
本発明の一実施の形態に係る塞栓術装置は、大血管（例えば大動脈等）を経由して末梢血管（例えば末梢動脈等）内に挿入されて、その末梢血管において塞栓術（例えば、その末梢血管に生じた動脈瘤の治療等）を行うための装置であって、軸方向に沿って延在するシャフトと、このシャフトの基端側に設けられたハンドルとを備えたものである。上記シャフトは、上記軸方向に沿って延在するチューブ状部材と、このチューブ状部材の先端領域に設けられ、上記末梢血管を焼灼するための少なくとも１つの焼灼用電極と、上記軸方向に沿って少なくとも１つの焼灼用電極よりも基端側に設けられ、チューブ状部材の周囲に拡張可能に構成されたバルーンとを有している。また、上記ハンドルに対する所定の操作に応じて、チューブ状部材における上記先端領域が、上記軸方向に沿って螺旋状に変形可能となっている。
【０００７】
本発明の一実施の形態に係る塞栓術装置では、上記バルーンがチューブ状部材の周囲に拡張されることにより、上記末梢血管内における血流が、上記大血管側に対応する上流側において遮断される。また、このようにしてバルーンが拡張された状態において、上記螺旋状に変形したチューブ状部材の先端領域における少なくとも１つの焼灼用電極を用いて上記末梢血管が焼灼されることにより、上記軸方向に沿ってバルーンよりも先端側に位置する上記末梢血管が、筋攣縮または血栓形成によって閉塞する。このようにして上記末梢血管において塞栓術が行われることで、例えば、患者の血管内に挿入されたマイクロカテーテル内を通じて、白金等からなる金属コイルを治療対象の動脈瘤内に埋め込むことで、動脈瘤の治療が行われる場合などとは異なり、以下のようになる。すなわち、高価な治療器具（塞栓術用の器具）が不要となると共に、塞栓術の際の操作が簡易なものとなる。
【０００８】
本発明の一実施の形態に係る塞栓術装置では、上記したように、バルーンがチューブ状部材の周囲に拡張されることによって、上記末梢血管内における血流が、上記大血管側に対応する上流側において遮断されると共に、このバルーンが拡張された状態において、上記螺旋状に変形した上記先端領域における少なくとも１つの焼灼用電極を用いて、上記末梢血管が焼灼されることによって、上記軸方向に沿ってバルーンよりも先端側に位置する上記末梢血管が閉塞するようにするのが好ましい。
【発明の効果】
【０００９】
本発明の一実施の形態に係る塞栓術装置によれば、上記チューブ状部材と上記少なくとも１つの焼灼用電極と上記バルーンとを有するシャフトを設けるようにしたので、上記末梢血管における塞栓術の際に、高価な塞栓術用の器具が不要となると共に、塞栓術の際の操作が簡易なものとなる。よって、このような塞栓術装置を用いて塞栓術を行うことで、塞栓術を低コストかつ簡便に行うことが可能となる。
【図面の簡単な説明】
【００１０】
【図１】本発明の一実施の形態に係る塞栓術装置としての動脈瘤治療装置の概略構成例を表す模式側面図である。
【図２】図１に示した焼灼用の電極およびバルーン等の詳細構成例を表す模式斜視図である。
【図３】図１に示したＩＩＩ−ＩＩＩ線に沿った断面構成例を表す模式図である。
【図４】図１に示した動脈瘤治療装置を用いた治療方法の一例を表す模式図である。
【図５】図４に続く治療方法の一例を表す模式図である。
【発明を実施するための形態】
【００１１】
以下、本発明の実施の形態について、図面を参照して詳細に説明する。なお、説明は以下の順序で行う。
１．実施の形態（先端側の焼灼用電極と基端側のバルーンとを有するシャフトを備えた動脈瘤治療装置の例）
２．変形例
【００１２】
＜１．実施の形態＞
［概略構成］
図１は、本発明の一実施の形態に係る塞栓術装置としての動脈瘤治療装置１の概略構成例を、模式的に側面図（Ｙ−Ｚ側面図）で表したものである。具体的には、図１（Ａ）は、後述する所定の操作を行っていない場合（通常時）における動脈瘤治療装置１の概略構成例を、図１（Ｂ）は、そのような所定の操作を行った場合（操作時）における動脈瘤治療装置１の概略構成例を、それぞれ示している。また、図２は、図１（Ｂ）に示した概略構成例の一部分（後述する焼灼用の電極およびバルーン１１２等）の詳細構成例を、模式的に斜視図で表したものである。
【００１３】
この動脈瘤治療装置１は、患者体内の血管（例えば、後述する末梢動脈９２の血管）に生じた動脈瘤の治療の際に用いられる装置であり、詳細は後述するが、大動脈を経由して治療対象の末梢動脈の血管内に挿入されるようになっている。動脈瘤治療装置１は、図１（Ａ），図１（Ｂ），図２に示したように、シャフト１１、ハンドル１２、ガイドワイヤ挿入ポート１３ａおよび液体注入ポート１３ｂを備えている。なお、この動脈瘤治療装置１（動脈瘤の治療を行うための装置）は、本発明における「塞栓術装置（塞栓術を行うための装置）」の一具体例に対応している。また、上記した大動脈（後述する大動脈９１）は、本発明における「大血管」の一具体例に対応し、上記した末梢動脈９２は、本発明における「末梢血管」の一具体例に対応している。
【００１４】
（Ａ．シャフト１１）
シャフト１１は、可撓性を有する部材であり、自身の軸方向（長手方向）であるＺ軸方向に沿って延在する形状となっている。このシャフト１１は、図１（Ａ），図１（Ｂ），図２に示したように、基体としてのチューブ状部材１１０と、このチューブ状部材１１０の先端側（後述するハンドル１２とは反対側）に設けられた先端電極１１１ａ、リング状電極１１１ｂおよびバルーン１１２と、収納用スリーブ１１３とを有している。
【００１５】
（チューブ状部材１１０）
チューブ状部材１１０は、可撓性を有する絶縁性の管状構造（管状部材）からなり、上記した軸方向（Ｚ軸方向）に沿って延在している。具体的には、図１（Ａ）に示したように、後述する所定の操作を行っていない場合（通常時）には、チューブ状部材１１０はこの軸方向に沿って直線状に延在する形状となっている。一方、詳細は後述するが、図１（Ｂ），図２に示したように、そのような所定の操作を行った場合（操作時）には、チューブ状部材１１０における後述する先端領域Ａ１が、上記した軸方向に沿って螺旋状に変形するようになっている。すなわち、チューブ状部材１１０におけるこの先端領域Ａ１は、そのような螺旋状に変形可能に構成されている。
【００１６】
具体的には、このチューブ状部材１１０における先端領域Ａ１は、例えばナイチノール（ニッケル（Ｎｉ）−チタン（Ｔｉ）合金）のような形状記憶合金からなるコアワイヤ（後述するコアワイヤ８３）が内在することによって、螺旋状に形成されている。そして、上記した通常時には、この先端領域Ａ１は引き延ばされた状態で後述する収納用スリーブ１１３の中に収納されているため、上記したように、先端領域Ａ１が軸方向に沿って直線状に延在する形状となっている。一方、上記した操作時には、この先端領域Ａ１は収納用スリーブ１１３から突出するため、先端領域Ａ１が螺旋状に戻るようになっている。
【００１７】
また、このチューブ状部材１１０は、詳細は後述するが（図３）、上記した軸方向に沿って延在するように内部に複数のルーメン（細孔，貫通孔）が形成された、いわゆるマルチルーメン構造を有している。各ルーメンには、詳細は後述するが、各種の細線（導線や熱電対等）や所定の液体がそれぞれ、互いに電気的に絶縁された状態で挿通されている。なお、このチューブ状部材１１０の外径は、例えば０．５ｍｍ〜３．０ｍｍ程度であり、チューブ状部材１１０の軸方向（Ｚ軸方向）に沿った長さは、例えば５００ｍｍ〜１５００ｍｍ程度である。
【００１８】
このようなチューブ状部材１１０の先端領域Ａ１には、図１（Ａ），図１（Ｂ），図２に示したように、複数の焼灼用電極（この例では１つの先端電極１１１ａおよび複数のリング状電極１１１ｂ）が設けられている。これらの先端電極１１１ａおよびリング状電極１１１ｂはそれぞれ、後述するアブレーション（焼灼）の際に、末梢動脈の血管を焼灼するための電極である。これらの１つの先端電極１１１ａおよび複数のリング状電極１１１ｂはそれぞれ、具体的には、チューブ状部材１１０の軸方向に沿って、その先端側から基端側へ向けて、この順で所定の間隔をおいて配置されている。また、複数のリング状電極１１１ｂはそれぞれ、チューブ状部材１１０の外周面上に固定配置される一方、先端電極１１１ａは、チューブ状部材１１０の最先端に固定配置されている。
【００１９】
これらの先端電極１１１ａおよびリング状電極１１１ｂはそれぞれ、後述するチューブ状部材１１０のルーメン内に挿通された複数の導線（リード線）を介して、ハンドル１２と電気的に接続されている。なお、例えば、先端電極１１１ａには導線が接続されていないようにしてもよい。また、この先端電極１１１ａには、図１（Ｂ），図２に示したように、後述するガイドワイヤ８０が挿通される、ガイドワイヤ挿入孔Ｈ１が形成されている。
【００２０】
このような先端電極１１１ａおよびリング状電極１１１ｂはそれぞれ、例えば、アルミニウム（Ａｌ）、銅（Ｃｕ）、ステンレス鋼（ＳＵＳ）、金（Ａｕ）、白金（Ｐｔ）等の、電気伝導性の良好な金属材料、あるいは、各種の樹脂材料により構成されている。なお、動脈瘤治療装置１の使用時におけるＸ線に対する造影性を良好にするためには、これらの先端電極１１１ａおよびリング状電極１１１ｂがそれぞれ、白金またはその合金により構成されていることが好ましい。
【００２１】
ここで、図３は、図１（Ｂ）中のＩＩＩ−ＩＩＩ線に沿った、チューブ状部材１１０の断面構成例（Ｘ−Ｙ断面構成例）を、模式的に表したものである。この例では図３に示したように、チューブ状部材１１０は、アウター部７０（シェル部）、インナー部７１（コア部）および樹脂層７２を有するマルチルーメン構造となっている。具体的には、このチューブ状部材１１０には、互いに分離した７つのルーメンＬ０〜Ｌ６が形成されている。なお、この図３では、説明の便宜上、後述するガイドワイヤ８０がチューブ状部材１１０内（後述するルーメンＬ０内）に挿通されている状況について、図示している。
【００２２】
アウター部７０は、図３に示したように、チューブ状部材１１０の最外周に位置するチューブ状の部材である。このアウター部７０は、例えば、高硬度のナイロンエラストマーにより構成されている。このアウター部７０を構成するナイロンエラストマーとしては、例えば、軸方向（Ｚ軸方向）に沿って異なる硬度のものが用いられている。これによりチューブ状部材１１０（シャフト１１）は、その先端側から基端側に向けて、段階的に硬度が高くなるように構成されている。
【００２３】
インナー部７１は、図３に示したように、アウター部７０の内周側に位置する、コア部材である。このインナー部７１は、例えば、低硬度のナイロンエラストマーにより構成されている。なお、このインナー部７１内に、上記した７つのルーメンＬ０〜Ｌ６がそれぞれ形成されている。
【００２４】
樹脂層７２は、図３に示したように、６つのルーメンＬ０〜Ｌ６を区画する層であり、例えばフッ素樹脂により構成されている。このフッ素樹脂としては、例えば、パーフルオロアルキルビニルエーテル共重合体（ＰＦＡ）、ポリテトラフルオロエチレン（ＰＴＦＥ）等の、絶縁性の高い材料が挙げられる。
【００２５】
ルーメンＬ０は、この例では図３に示したように、チューブ状部材１１０のＸ−Ｙ断面（円形状）における中心付近に配置されている。このルーメンＬ０には、後述する動脈瘤の治療の際には、ガイドワイヤ８０が挿通されるようになっている。
【００２６】
残りの６つのルーメンＬ１〜Ｌ６はそれぞれ、チューブ状部材１１０のＸ−Ｙ断面において、ルーメンＬ０の周囲を取り囲むように配置されている。具体的には、この例では図３に示したように、これらのルーメンＬ１〜Ｌ６は、それらの中心同士を結んだ場合に六角形状をなすようにして、ルーメンＬ０の周囲に配置されている。
【００２７】
ルーメンＬ１は、この例では図３に示したように、チューブ状部材１１０のＸ−Ｙ断面において、Ｙ軸の正方向側に配置されている。また、図３に示したチューブ状部材１１０のＸ−Ｙ断面において、このルーメンＬ１の時計回り（右回り）に沿った隣には、ルーメンＬ６が配置されている。これらのルーメンＬ１，Ｌ６にはそれぞれ、複数の導線８１が挿通されている。これらの導線８１はそれぞれ、前述したリング状電極１１１ｂに対して、個別に電気的接続されている。なお、このような導線８１は、例えば、ポリイミドなどの樹脂によって金属導線の外周面が被覆された、樹脂被覆線により構成されている。
【００２８】
一方、図３に示したチューブ状部材１１０のＸ−Ｙ断面において、ルーメンＬ１の反時計回り（左回り）に沿った隣には、ルーメンＬ２が配置されている。このルーメンＬ２には、動脈瘤治療装置１を用いた後述する焼灼の際の温度を測定するための、熱電対８２（リード線）が挿通されている。なお、この熱電対８２は、チューブ状部材１１０内からハンドル１２内へと引き出されるようになっている。
【００２９】
また、図３に示したチューブ状部材１１０のＸ−Ｙ断面において、上記したルーメンＬ６の時計回りに沿った隣には、ルーメンＬ５が配置されている。このルーメンＬ５には、後述するバルーン１１２を拡張（展開）させる際などに使用される、所定の液体Ｌが注入されるようになっている。この液体Ｌとしては、例えば、滅菌水や、滅菌した生理食塩水などが挙げられ、例えば造影剤を含むようにするのが望ましい。
【００３０】
また、図３に示したチューブ状部材１１０のＸ−Ｙ断面において、上記したルーメンＬ２とルーメンＬ５との間には、反時計回りに沿って、ルーメンＬ３，Ｌ４がこの順に配置されている。ルーメンＬ４には、前述したように、チューブ状部材１１０の先端領域Ａ１を螺旋状に形成するためのコアワイヤ８３が、挿通されている。一方、この例ではルーメンＬ３内には、何も挿通あるいは注入されないようになっている。
【００３１】
（バルーン１１２）
バルーン１１２は、図１（Ａ），図１（Ｂ），図２に示したように、チューブ状部材１１０の軸方向（Ｚ軸方向）に沿って、前述した複数の焼灼用電極（先端電極１１１ａおよびリング状電極１１１ｂ）よりも基端側の領域（バルーン配置領域Ａ２）に設けられている。このバルーン１１２は、例えば図１（Ｂ），図２に示したように、前述した液体Ｌがチューブ状部材１１０の液体排出孔Ｈ２を介してバルーン１１２の内部に注入されることで、チューブ状部材１１０の周囲に拡張可能に構成されている。
【００３２】
収納用スリーブ１１３は、図１（Ａ）に示したように、チューブ状部材１１０の周囲を覆うように配置されており、シャフト１１における鞘として機能する管状部材となっている。この収納用スリーブ１１３は、後述するハンドル１２における操作部１２２への操作によって、チューブ状部材１１０上を軸方向に沿って摺動するようになっている。
【００３３】
具体的には、図１（Ａ）に示したように、後述する所定の操作を行っていない場合（通常時）には、軸方向（Ｚ軸方向）に沿ってチューブ状部材１１０の略全領域が、収納用スリーブ１１３によって覆われるようになっている。したがって、この場合には、複数のリング状電極１１１ｂおよびバルーン１１２も収納用スリーブ１１３によって覆われており、先端電極１１１ａの近傍のみが、収納用スリーブ１１３から露出している。なお、詳細は後述するが、この場合には、前述した液体Ｌをバルーン１１２内に注入させるための操作がなされないため、図１（Ａ）に示したように、バルーン配置領域Ａ２において、バルーン１１２が収納状態（非拡張状態）となっている。
【００３４】
一方、図１（Ｂ）に示したように、そのような所定の操作を行った場合（操作時）には、チューブ状部材１１０の軸方向（Ｚ軸方向）に沿って、収納用スリーブ１１３の一部が基端側にスライド（移動）するようになっている（図１（Ｂ）中の矢印Ｐ２参照）。すると、図１（Ｂ），図２に示したように、複数のリング状電極１１１ｂが収納用スリーブ１１３の外部に露出するとともに、前述したように、チューブ状部材１１０における先端領域Ａ１が、軸方向に沿って螺旋状に変形するようになっている（図１（Ｂ）中の矢印Ｐ３参照）。また、この場合、図１（Ｂ），図２に示したように、バルーン１１２も収納用スリーブ１１３の外部に露出する。そしてこの状態において、操作者による操作によって、前述した液体Ｌがバルーン１１２の内部に注入されると、バルーン１１２が拡張（展開）状態となる（図１（Ｂ）中の矢印Ｐ４参照）。
【００３５】
（Ｂ．ハンドル１２）
ハンドル１２は、図１（Ａ），図１（Ｂ）に示したように、シャフト１１の基端側に装着されており、その軸方向（Ｚ軸方向）に沿って延在する形状となっている。このハンドル１２は、把持部１２１および操作部１２２を有している。
【００３６】
把持部１２１は、動脈瘤治療装置１の使用時に、操作者（医師）が掴む（握る）部分である。
【００３７】
操作部１２２は、前述した、ハンドル１２に対する所定の操作（収納用スリーブ１１３の一部を基端側にスライドさせるための操作）が行われる部分である。具体的には、この例では図１（Ｂ）に示したように、操作部１２２は、把持部１２１に対して軸方向（Ｚ軸方向）に沿って双方向にスライド可能なノブ状の部材となっている。そして、この例では図１（Ｂ）中の矢印Ｐ１で示したように、操作部１２２が操作者によって基端側にスライド操作されることで、前述したように、収納用スリーブ１１３の一部が基端側にスライドするようになっている（図１（Ｂ）中の矢印Ｐ２参照）。また、これに伴って、前述したように、チューブ状部材１１０における先端領域Ａ１が、軸方向（Ｚ軸方向）に沿って螺旋状に変形する（図１（Ｂ）中の矢印Ｐ３参照）。そして、バルーン１１２が外部に露出するため、前述した液体Ｌの注入によってバルーン１１２が拡張可能な状態となる。
【００３８】
なお、このような把持部１２１および操作部１２２はそれぞれ、例えば、ポリカーボネート、アクリロニトリル−ブタジエン−スチレン共重合体（ＡＢＳ）等の合成樹脂により構成されている。
【００３９】
（Ｃ．ガイドワイヤ挿入ポート１３ａ，液体注入ポート１３ｂ）
ガイドワイヤ挿入ポート１３ａは、図１（Ａ），図１（Ｂ）に示したように、ハンドル１２の基端から突出するように装着されている。このガイドワイヤ挿入ポート１３ａ内には、後述する動脈瘤の治療の際に、前述したガイドワイヤ８０が挿入されるようになっている。そして、ハンドル１２内から、チューブ状部材１１０におけるルーメンＬ０内、および、先端電極１１１ａにおけるガイドワイヤ挿入孔Ｈ１を介して、ガイドワイヤ８０が動脈瘤治療装置１全体を挿通するようになっている。
【００４０】
液体注入ポート１３ｂもまた、図１（Ａ），図１（Ｂ）に示したように、ハンドル１２の基端から突出するように装着されている。この液体注入ポート１３ｂ内には、後述する動脈瘤の治療の際に、前述した液体Ｌが注入されるようになっている。そして、ハンドル１２内から、チューブ状部材１１０におけるルーメンＬ５内および液体排出孔Ｈ２を介して、バルーン１１２内に液体Ｌが注入されることで、バルーン１１２がチューブ状部材１１０の周囲に拡張されるようになっている（図１（Ｂ）中の矢印Ｐ４参照）。
【００４１】
［動作および作用・効果］
（Ａ．治療方法について）
この動脈瘤治療装置１は、前述したように、患者体内の血管に生じた動脈瘤の治療の際に用いられる。
【００４２】
図４および図５は、このような動脈瘤治療装置１を用いた動脈瘤の治療方法の一例を、図４，図５の順序にて、模式的に断面図（血管についての断面図）で表したものである。なお、ここでは、大動脈９１から分岐した末梢動脈９２の血管に生じた動脈瘤９０を治療する場合を、例に挙げて説明する。ちなみに、そのような大動脈９１としては、例えば腹大動脈等が挙げられ、末梢動脈９２としては、例えば、腹大動脈等から枝分かれした末梢動脈等が挙げられる。
【００４３】
まず、例えば図４に示したように、動脈瘤治療装置１の操作者（医師）が操作することで、大動脈９１を経由して末梢動脈９２の血管内に、動脈瘤治療装置１をその先端側（先端電極１１１ａ側）から挿入させ、治療対象の部位（動脈瘤９０付近）まで到達させる（図４中の矢印Ｐ５１，Ｐ５２参照）。なお、このとき、動脈瘤治療装置１に先行して予め動脈瘤９０の近傍までガイドワイヤ８０を挿入した後、そのガイドワイヤ８０に沿わせて、動脈瘤治療装置１を治療領域まで進める。すなわち、図４に示したように、ガイドワイヤ８０が動脈瘤治療装置１全体を挿通しており、治療対象の部位までガイドされるようになっている。
【００４４】
また、この際には、ハンドル１２の操作部１２２に対して、前述した所定の操作が行われないようになっている（通常時）。したがって、図４に示したように、軸方向に沿ってチューブ状部材１１０の略全領域が、収納用スリーブ１１３によって覆われている。つまり、この場合には図４に示したように、先端領域Ａ１およびバルーン１１２はそれぞれ、収納された状態となっている。
【００４５】
次に、動脈瘤治療装置１の操作者が、前述した所定の操作を行う（操作部１２２を基端側にスライド操作させる）と、以下のようになる。
【００４６】
すなわち、例えば図５に示したように、まず、収納用スリーブ１１３の一部が、その基端側にスライドする（図５中の矢印Ｐ２参照）。すると前述したように、これに伴って、チューブ状部材１１０における先端領域Ａ１が、軸方向（Ｚ軸方向）に沿って螺旋状に変形する（図５中の矢印Ｐ３参照）。その結果、この先端領域Ａ１における複数の焼灼用電極（先端電極１１１ａおよびリング状電極１１１ｂ）が、末梢動脈９２における血管の内壁に、当接する。
【００４７】
次に、操作者が、液体注入ポート１３ｂから液体Ｌを注入することで、前述したようにして、バルーン１１２が拡張状態となる（図５中の矢印Ｐ４参照）。このようにして、バルーン１１２がチューブ状部材１１０の周囲に拡張されることにより、末梢動脈９２の血管内における血流が、大動脈９１側に対応する上流側（バルーン配置領域Ａ２よりも上流側）において、遮断されることになる。
【００４８】
続いて、このようにしてバルーン１１２が拡張された状態において、図５に示したように、上記したように螺旋状に変形した先端領域Ａ１における複数の焼灼用電極（先端電極１１１ａおよびリング状電極１１１ｂ）を用いて、末梢動脈９２の血管が焼灼される。つまり、例えば図５に示したように、バルーン１１２よりも先端側（先端領域Ａ１）に位置する末梢動脈９２の血管（バルーン配置領域Ａ２と動脈瘤９０との間に位置する血管）に対して、焼灼（アブレーション）が行われる。
【００４９】
このアブレーションの際には、上記した先端電極１１１ａおよびリング状電極１１１ｂと、患者の体表に装着された対極板（不図示）との間に、電源装置（不図示）から高周波（ＲＦ；Radio Frequency）の電力が供給される。これにより、これらの先端電極１１１ａおよびリング状電極１１１ｂと対極板との間で高周波通電がなされ、ジュール発熱によるアブレーションが行われる。
【００５０】
このようにして、バルーン１１２が拡張された状態において、末梢動脈９２の血管が焼灼されることにより、軸方向に沿ってバルーン１１２よりも先端側に位置する末梢動脈９２の血管が、筋攣縮（血管が縮んだ状態）または血栓形成によって、閉塞することになる。
【００５１】
その後は、動脈瘤治療装置１の操作者によって、バルーン１１２内から液体Ｌを除いてバルーン１１２を収縮させた後、前述した所定の操作（操作部１２２の基端側へのスライド操作）が解除される（通常時に復帰させる）。これにより、再び図４に示したように、チューブ状部材１１０の略全領域が収納用スリーブ１１３によって覆われ、先端領域Ａ１が収納状態となる。そして、この状態において、操作者による操作によって、動脈瘤治療装置１が患者の体内から取り出されることで、動脈瘤９０に対する一連の治療方法が完了となる。
【００５２】
（Ｂ．動脈瘤治療装置１における作用・効果）
このようにして、本実施の形態の動脈瘤治療装置１では、大動脈９１を経由して末梢動脈９２の血管内に挿入されて、その末梢動脈９２の血管に生じた動脈瘤９０を治療する際に、以下のようになる。
【００５３】
すなわち、まず、バルーン１１２がチューブ状部材１１０の周囲に拡張されることにより、末梢動脈９２の血管内における血流が、大動脈９１側に対応する上流側において、遮断される。また、このようにしてバルーン１１２が拡張された状態において、螺旋状に変形した先端領域Ａ１における複数の焼灼用電極（先端電極１１１ａおよびリング状電極１１１ｂ）を用いて、末梢動脈９２の血管が焼灼されることにより、軸方向に沿ってバルーン１１２よりも先端側に位置する末梢動脈９２の血管が、閉塞する。
【００５４】
つまり、本実施の形態の治療方法では、積極的に筋攣縮を生じさせたり血栓を形成させたりするために、血流の上流側(チューブ状部材１１０の基端側)にバルーン１１２を配置し、血流を上流側で止めて澱ませることを目的としている。なお、この治療方法では、治療対象の部位が末梢動脈９２であることから、例えば治療対象の部位が大動脈９１である場合とは異なり、血管を閉塞させたとしても、他の血流ルートが自然生成されるため、血流に関する問題が生じるおそれは無い。
【００５５】
このようにして動脈瘤９０の治療が行われることで、本実施の形態では、例えば、患者の血管内に挿入されたマイクロカテーテル内を通じて、白金等からなる金属コイルを治療対象の動脈瘤内に埋め込むことで、動脈瘤の治療が行われる場合（比較例）とは異なり、以下のようになる。すなわち、本実施の形態の治療方法では、まず、この比較例の治療方法とは異なり、白金等からなる高価な治療器具が不要となる。また、この比較例の治療方法では、治療の際に複数回の操作（金属コイルを埋め込むための複数回の操作）が必要となる一方、本実施の形態の治療方法では、治療の際に１回の操作で済むことから、本実施の形態では比較例と比べ、治療の際の操作が簡易なものとなる。
【００５６】
以上のように本実施の形態では、これまでに説明したチューブ状部材１１０と複数の焼灼用電極（先端電極１１１ａおよびリング状電極１１１ｂ）とバルーン１１２とを有するシャフト１１を、動脈瘤治療装置１に設けるようにしたので、以下のようになる。すなわち、末梢動脈９２の血管に生じた動脈瘤９０の治療の際に、高価な治療器具が不要となると共に、治療の際の操作が簡易なものとなる。よって、このような動脈瘤治療装置１を用いて治療を行うことで、動脈瘤９０の治療を、低コストかつ簡便に行うことが可能となる。
【００５７】
また、本実施の形態の治療方法によれば、例えば以下のような付随的な効果を得ることも可能となる。すなわち、上記したようにして、軸方向に沿ってバルーン１１２よりも先端側（先端領域Ａ１）に位置する末梢動脈９２の血管が閉塞することで、例えば、アブレーションにより生成された血栓が、上流側（大動脈９１側）に流れていってしまうことが防止され、その結果、患者の体内へのリスクを低減することも可能となる。
【００５８】
＜２．変形例＞
以上、実施の形態を挙げて本発明を説明したが、本発明はこの実施の形態に限定されず、種々の変形が可能である。
【００５９】
例えば、上記実施の形態において説明した各部材の形状や配置位置、サイズ、個数、材料等は限定されるものではなく、他の形状や配置位置、サイズ、個数、材料等としてもよい。具体的には、例えば、上記実施の形態では、チューブ状部材１１０の先端領域Ａ１において、焼灼用電極が複数設けられている場合を例に挙げて説明したが、この場合には限られない。すなわち、チューブ状部材１１０の先端領域Ａ１において、焼灼用電極が１つだけ設けられているようにしてもよい。
【００６０】
また、上記実施の形態では、先端領域Ａ１を螺旋形状にする手法として、形状記憶合金からなるコアワイヤを用いた手法を例に挙げて説明したが、この手法には限られない。すなわち、例えば、操作ワイヤに対する所定の操作を利用して、先端領域Ａ１を螺旋形状にする手法を用いるようにしてもよい。
【００６１】
更に、上記実施の形態では、動脈瘤治療装置１内に収納用スリーブ１１３が設けられている場合を例に挙げて説明したが、この場合には限られない。すなわち、例えばシースカテーテルなどの別の医療機器を用いる場合などには、この収納用スリーブ１１３を動脈瘤治療装置１内に設けないようにしてもよい。
【００６２】
また、上記実施の形態では、大動脈９１の一例として腹大動脈を挙げると共に、末梢動脈９２の一例として、腹大動脈から枝分かれした末梢動脈を挙げて説明を行ったが、大動脈９１および末梢動脈９２の例としては、これらの動脈には限られない。すなわち、本発明の塞栓術装置（塞栓術方法）は、他の部位の大動脈や末梢動脈や、大静脈や末梢静脈についての治療にも、適用することが可能である。具体的には、本発明の塞栓術装置（塞栓術方法）は、血管性病変（血管腫や血管奇形など）や腫瘍性病変（肝癌等の多血性腫瘍など）のための塞栓術に用いることができる。
【符号の説明】
【００６３】
１…動脈瘤治療装置、１１…シャフト、１１０…チューブ状部材、１１１ａ…先端電極、１１１ｂ…リング状電極、１１２…バルーン、１１３…収納用スリーブ、１２…ハンドル、１２１…把持部、１２２…操作部、１３ａ…ガイドワイヤ挿入ポート、１３ｂ…液体注入ポート、７０…アウター部、７１…インナー部、７２…樹脂層、８０…ガイドワイヤ、８１…導線、８２…熱電対、８３…コアワイヤ、９０…動脈瘤、９１…大動脈、９２…末梢動脈、Ａ１…先端領域、Ａ２…バルーン配置領域、Ｈ１…ガイドワイヤ挿入孔、Ｈ２…液体排出孔、Ｌ…液体、Ｌ１〜Ｌ６…ルーメン。
【図１】
2019129995.tif 000003
【図２】
2019129995.tif 000004
【図３】
2019129995.tif 000005
【図４】
2019129995.tif 000006
【図５】
2019129995.tif 000007